(57)【要約】【課題】  不要となった頓用薬剤の処方オーダ情報を無効化する。【解決手段】  処方オーダ発行部１１は，処方オーダ情報を発行し，処方オーダデータベース１０に格納する。対応病名決定部１３は，処方オーダ情報が頓用の薬剤のものであれば，ユーザが指定した対応病名を処方オーダデータベース１０に記憶する。処方オーダ無効化部１５は，カルテデータベース２に転帰入力処理があると，転帰入力処理されたカルテデータの患者ＩＤと病名を含む転帰情報を得て，処方オーダデータベース２からこの患者ＩＤと病名とに一致する処方オーダ情報を抽出し，抽出された処方オーダ終了の確認を促す。ユーザの確認後，この処方オーダ情報に無効を設定する。投薬指示表示処理部１７は，所定の日時に，有効な処方オーダ情報にもとづく投薬指示を表示装置４に表示する。【選択図】  図１
2010266980.tif 000002
【特許請求の範囲】
【請求項１】
処方オーダ情報を管理するために，コンピュータを，
ユーザによって入力された，患者の識別情報，薬剤の識別情報，投与条件，投薬指示の期間を含む処方オーダ情報を受け付けて，処方オーダ情報を記憶する処方オーダ情報記憶部に記憶させる処方オーダ発行部と，
前記処方オーダ情報が頓用される薬剤に関する情報であった場合に，前記処方オーダ情報に対応する病名の指定を受け付けて，指定された病名を前記処方オーダ情報に対応付けて前記処方オーダ情報記憶部に記憶させる対応病名決定部と，
患者の識別情報と病名と病名に対する転帰情報を受け付けて，前記処方オーダ情報記憶部から，前記転帰情報の患者の識別情報と病名と一致する処方オーダ情報を抽出し，前記抽出した処方オーダ情報を無効に設定する処方オーダ無効化部と，
所定の日時ごとに，前記処方オーダ情報記憶部を参照して，前記所定の日時を投薬指示の期間に含みかつ無効が設定されていない処方オーダ情報を抽出して，抽出された処方オーダ情報にもとづく投薬指示を表示する投薬指示表示処理部とを備える
処方オーダ管理装置として機能させるための処方オーダ管理プログラム。
【請求項２】
処方オーダを管理するための装置であって，
ユーザによって入力された，患者の識別情報，薬剤の識別情報，投与条件，投薬指示の期間を含む処方オーダ情報を受け付けて，処方オーダ情報を記憶する処方オーダ情報記憶部に記憶させる処方オーダ発行部と，
前記処方オーダ情報が頓用される薬剤に関する情報であった場合に，前記処方オーダ情報に対応する病名の指定を受け付けて，指定された病名を前記処方オーダ情報に対応付けて前記処方オーダ情報記憶部に記憶させる対応病名決定部と，
患者の識別情報と病名と病名に対する転帰情報を受け付けて，前記処方オーダ情報記憶部から，前記転帰情報の患者の識別情報と病名と一致する処方オーダ情報を抽出し，前記抽出した処方オーダ情報に無効を設定する処方オーダ無効化部と，
所定の日時ごとに，前記処方オーダ情報記憶部を参照して，前記所定の日時を投薬指示の期間に含みかつ無効が設定されていない処方オーダ情報を抽出して，抽出された処方オーダ情報にもとづく投薬指示を表示する投薬指示表示処理部とを備える
ことを特徴とする処方オーダ管理装置。
【請求項３】
処理装置が実行する処方オーダ管理方法であって，
ユーザによって入力された，患者の識別情報，薬剤の識別情報，投与条件，投薬指示の期間を含む処方オーダ情報を受け付けて，処方オーダ情報を記憶する処方オーダ情報記憶部に記憶させる処理過程と，
前記処方オーダ情報が頓用される薬剤に関する情報であった場合に，前記処方オーダ情報に対応する病名の指定を受け付けて，指定された病名を前記処方オーダ情報に対応付けて前記処方オーダ情報記憶部に記憶させる処理過程と，
患者の識別情報と病名と病名に対する転帰情報を受け付けて，前記処方オーダ情報記憶部から，前記転帰情報の患者の識別情報と病名と一致する処方オーダ情報を抽出し，抽出した処方オーダ情報に無効を設定する処理過程と，
所定の日時ごとに，前記処方オーダ情報記憶部を参照して，前記所定の日時を投薬指示の期間に含みかつ無効が設定されていない処方オーダ情報を抽出して，抽出された処方オーダ情報にもとづく投薬指示を表示する処理過程とを実行する
処方オーダ管理方法。
【発明の詳細な説明】
【技術分野】
【０００１】
本発明は，患者の治療目的で発行される処方オーダ情報の管理処理技術に関する。
【背景技術】
【０００２】
近年，患者の傷病およびその治療に関する情報は，電子カルテ装置やカルテデータ管理システムにおいてカルテデータベースに保存される。
【０００３】
診察時に，患者から得た「熱がある」「咳がでる」等の訴え（主訴），病名，所見等の情報が医師等であるユーザによって入力され，これらの入力情報をもとにカルテデータが作成・保存される。さらに，必要な検査内容を示す検査オーダ，処置内容を示す処置オーダ，投薬の内容を示す処方オーダなどの情報が必要に応じて入力され，種々のオーダ情報が作成される。
【０００４】
薬物治療の場合には，ユーザが患者に対する処方オーダを発行すると，この情報が処方オーダデータベースに格納される。そして，処方オーダデータベースを参照して，その日に各患者が服用する薬剤，投薬条件等の情報を示す投薬指示を病棟の端末に表示させて，看護師が，表示された投薬指示にもとづいて各患者に薬剤を投与している。
【０００５】
従来，ユーザが処方オーダを入力する際に指定した投与量と開始タイミングから，終了タイミングを自動的に計算して，この終了タイミングを看護師が参照する画面に表示させる処理がある。
【０００６】
なお，本明細書において，患者や妊産婦など，電子カルテ装置や電子カルテシステムによってカルテデータが作成される受診者を総称して説明の便宜上「患者」というものとする。
【先行技術文献】
【特許文献】
【０００７】
【特許文献１】特開２００６−１５５０７１号公報
【発明の概要】
【発明が解決しようとする課題】
【０００８】
薬物治療における薬剤投与の種類として，定期投与と頓用とがある。頓用とは，治療に必要な薬剤を継続的に服用するのではなく，１回の服用量で患者の主訴を軽減または消失させる等の目的で，鎮痛剤，解熱剤，催眠剤，鎮咳剤等の薬剤を，必要に応じて服用するように指示するものである。
【０００９】
したがって，頓用を投与条件として指示される薬剤に関する処方オーダでは，処方オーダによる投与指示の有効期間は，開始日と終了日による期間ではなく，投与回数で決定される。そのため処方オーダの発行時に，投与指示の有効期間の終了タイミングを決定することができない。そのため，頓用される薬剤の処方オーダは，終了タイミングを設定しなかったり，長期間有効となるように便宜的な終了日を設定したりして，発行されていた。
【００１０】
そのため，患者の治癒や退院によって実際に処方オーダが不要になった後でも，ユーザが該当する処方オーダを削除しない限り，長期間にわたって投薬指示が有効な状態で維持されてしまうという問題があった。
【００１１】
そのため，病棟の端末で投薬指示が表示されるような場合には，必要な投薬指示と不要となった投薬指示が混在して表示される状況が生じ，本来必要な投薬指示が視認しづらくなるという問題があった。
【００１２】
本願発明の目的は，頓用が指示される薬剤に関する処方オーダの削除タイミングを提示して，不要な処方オーダにもとづく投薬指示を無効化できる処方オーダ管理装置を実現することである。
【課題を解決するための手段】
【００１３】
本願において開示される処方オーダ管理プログラムは，コンピュータを，ユーザによって入力された，患者の識別情報，薬剤の識別情報，投与条件，投薬指示の期間を含む処方オーダ情報を受け付けて，処方オーダ情報を記憶する処方オーダ情報記憶部に記憶させる処方オーダ発行部と，処方オーダ情報が頓用される薬剤に関する情報であった場合に，その処方オーダ情報に対応する病名の指定を受け付けて，指定された病名を処方オーダ情報に対応付けて処方オーダ情報記憶部に記憶させる対応病名決定部と，患者の識別情報と病名と病名に対する転帰情報を受け付けて，処方オーダ情報記憶部から，その転帰情報の患者の識別情報と病名と一致する処方オーダ情報を抽出し，抽出した処方オーダ情報を無効に設定する処方オーダ無効化部と，所定の日時ごとに，処方オーダ情報記憶部を参照して，所定の日時を投薬指示の期間に含みかつ無効が設定されていない処方オーダ情報を抽出して，抽出された処方オーダ情報にもとづく投薬指示を表示する投薬指示表示処理部とを備える処方オーダ管理装置として機能させるためのプログラムである。
【発明の効果】
【００１４】
上記したプログラムによりコンピュータ上に実現される処方オーダ管理装置は，頓用される薬剤に関する処方オーダ情報が発行されていた患者の病気に対する転帰情報を受け付けて，該当する処方オーダ情報を無効に設定することによって，投薬指示を表示する処理において，有効な投薬指示だけを表示することができる。よって，看護師等は，病棟の端末に表示された投薬の要不要を判断する必要がなくなり，確実な投薬作業を支援することができる。
【図面の簡単な説明】
【００１５】
【図１】本発明の一実施例における処方オーダ管理装置の構成例を示す図である。
【図２】本発明の一実施例における処方オーダ情報の例を示す図である。
【図３】本発明の一実施例におけるカルテデータの例を示す図である。
【図４】本発明の一実施例における処方オーダ発行処理の処理フローを示す図である。
【図５】本発明の一実施例における処方オーダ入力画面の例を示す図である。
【図６】本発明の一実施例における対応病名入力画面の例を示す図である。
【図７】本発明の一実施例における処方オーダ無効化処理の処理フロー図である。
【図８】本発明の一実施例における対応オーダ終了画面の例を示す図である。
【図９】本発明の一実施例における処方オーダ無効化処理がなされた処方オーダ情報の例を示す図である。
【図１０】転帰入力処理の転帰入力画面の例を示す図である。
【図１１】転帰入力処理がなされたカルテデータの例を示す図である。
【図１２】本発明の一実施例における投薬指示表示処理の処理フロー図である。
【図１３】本発明の一実施例における投薬指示画面の例を示す図である。
【図１４】従来の処方オーダ情報の管理処理により表示される投薬指示画面の例を示す図である。
【発明を実施するための形態】
【００１６】
図１は，本発明の一実施例における処方オーダ管理装置の構成例を示す図である。
【００１７】
処方オーダ管理装置１は，処方オーダ管理プログラムが，コンピュータにインストールされメモリに展開されて，演算処理部によって実行されることによって実現される。
【００１８】
処方オーダ管理装置１は，処方オーダ情報記憶部（処方オーダデータベース）１０，処方オーダ発行部１１，対応病名決定部１３，処方オーダ無効化部１５，投薬指示表示処理部１７を備える。
【００１９】
また，処方オーダ管理装置１は，患者のカルテデータが記憶されたカルテデータ記憶部（カルテデータベース）２，ユーザの指示，データ等を入力する入力装置３，情報を表示する表示装置４と接続する。
【００２０】
処方オーダ情報記憶部１０は，薬物治療の処方をオーダするために，ユーザによって入力された処方オーダ情報を記憶するデータベースである。
【００２１】
図２は，本発明の一実施例における処方オーダ情報の例を示す図である。
【００２２】
処方オーダ情報は，患者を識別する情報である患者ＩＤ，頓用処方，定期投与（定期注射等）を含む処方オーダの種類を示す情報であるオーダ種別，オーダを識別する情報であるオーダ番号，投与される薬剤を特定する情報である薬剤コード，投薬指示の有効期間の始期を示す開始日，投薬指示の有効期間の終期を示す終了日，投与の条件を示す情報である投与条件，対応する病名を特定する情報である対応病名等を含む。
【００２３】
図２に示す処方オーダ情報は，「患者ＩＤ：１１１１」の患者の「病名Ａ」に対する薬物治療として，「発熱時」を投与条件として，薬剤「Ｉ００１」を「頓用処方」で投与するという処方オーダ（オーダ番号：ｘｘｘ）と，同一患者の「病名Ｂ」に対する薬物治療として，「毎日１３：００」を投与条件として，薬剤「Ｈ００１」を「定期注射」で投与するという処方オーダ（オーダ番号：ｙｙｙ）であることを示す。
【００２４】
図２に示すように，定期投薬である処方オーダ（ｙｙｙ）は，開始日と終了日とが設定される。これに対し，頓用である処方オーダ（ｘｘｘ）は，終了日に具体的月日が設定されない。
【００２５】
処方オーダ発行部１１は，ユーザによって入力装置３から入力された処方オーダ情報を受け付けて，処方オーダ情報記憶部１０に格納する。
【００２６】
対応病名決定部１３は，処方オーダ発行部１１が格納した処方オーダ情報の投与の種別が「頓用」を示すものであった場合に，この処方オーダ情報に対応する病名の指定を受け付けて，指定された病名を処方オーダ情報に対応付けて処方オーダ情報記憶部１０に記憶させる。
【００２７】
病名の指定の受け付けは，入力装置３からユーザが入力操作または選択操作を行って入力した病名を取得すること，または，カルテデータベース２に記憶されている該当する患者のカルテデータから病名を抽出することによって行われる。
【００２８】
図３は，本発明の一実施例におけるカルテデータの例を示す図である。
【００２９】
カルテデータは，患者を識別する情報である患者ＩＤ，傷病を特定する情報である病名，治療の結果または見通しを示す情報である転帰，病名に対応する処方オーダの識別情報である処方オーダ番号等を含む。
【００３０】
カルテデータの転帰は，患者が傷病について治療中の場合にはデータは設定されず，治療が終了または中断された場合に，「治癒，死亡，中止，転医，軽快等」のデータが設定される。
【００３１】
図３に示すカルテデータは，「患者ＩＤ：１１１１」の患者が，「病名Ａ」と「病名Ｂ」とを治療中であり，「患者ＩＤ：２２２２」の患者が，「病名Ｃ」を治療中であることを示す。
【００３２】
処方オーダ無効化部１５は，患者ＩＤと病名とを含む転帰情報を受け付けて，処方オーダ情報記憶部１０に記憶された，転帰情報の患者ＩＤと病名とが一致する処方オーダ情報の有効期間を無効に設定する。
【００３３】
転帰情報の受け付けは，カルテデータ記憶部２に記憶されているカルテデータに対する転帰入力処理の検出を契機に，検出されたカルテデータの患者ＩＤと病名を含む転帰情報の取得によって行われる。
【００３４】
処方オーダ無効化部１５は，カルテデータ記憶部２のカルテデータの転帰にデータが入力されたカルテデータを検出して，検出したカルテデータの患者ＩＤと病名とを含む転帰情報を取得する。また，処方オーダ無効化部１５は，検出したカルテデータの対応オーダ番号を含む転帰情報を取得してもよい。
【００３５】
そして，処方オーダ無効化部１５は，取得した患者ＩＤと病名との組，または対応オーダ番号と一致する処方オーダ情報が処方オーダ情報記憶部１０にあるかを調べ，一致する処方オーダ情報があれば，この処方オーダ情報の無効化をユーザに確認して，処方オーダ情報を無効化する。具体的には，処方オーダ無効化部１５は，該当する処方オーダ情報の終了日に，ユーザが無効化を確認した日付情報（月日）を設定する。
【００３６】
この結果，この処方オーダ情報は，対応する病名に転帰が入力されたことを確認月日以降に投薬指示が表示される場合に，終了日に確認月日が設定されて投薬指示の有効期間が経過した状態となり，有効な処方オーダ情報と判定されず，投薬指示の対象とならない。
【００３７】
投薬指示表示処理部１７は，所定の日時ごとに，処方オーダ情報記憶部１０を参照して，所定の日時が有効期間内となる処方オーダ情報を抽出し，抽出された処方オーダ情報にもとづく投薬指示を表示装置４に表示する。
【００３８】
カルテデータ記憶部２は，各患者の傷病および治療の情報を記録したカルテデータを記憶するデータベースである。カルテデータベース２は，既存のカルテデータシステム，レセプト管理システム等（図１に図示せず）と接続することができる。
【００３９】
以下，本発明の一実施例における処方オーダ管理装置１の処理動作を説明する。
【００４０】
図４は，処方オーダ発行処理の処理フローを示す図である。
【００４１】
処方オーダ発行部１１は，処方オーダの発行要求を受けて，処方オーダ入力画面１００を表示装置４に表示させて，処方オーダ情報の入力を受け付ける（ステップＳ１）。
【００４２】
図５は，処方オーダ入力画面１００の例を示す図である。
【００４３】
処方オーダ入力画面１００は，薬物治療に使用される「使用薬剤」，使用薬剤の使用方法を示す「用法」，投与回数を示す「回数」，治療の開始日を示す「開始日」，治療の終了日を示す「終了日」，任意のコメントを入力する「フリーコメント」の各入力欄を備える。
【００４４】
処方オーダ発行部１１は，ユーザが処方オーダ入力画面１００上で各入力欄にデータを入力すると，入力されたデータを受け付け，処方オーダ情報として処方オーダ情報記憶部１０に格納する（ステップＳ２）。
【００４５】
処方オーダ発行部１１は，処方オーダ入力画面１００の「用法」に“頓用”または頓用を示す特定の語句が入力されている場合に，この入力データにもとづく処方オーダの種別を「頓用処方」と特定する。
【００４６】
対応病名決定部１３は，処方オーダ情報記憶部１０に追加された処方オーダ情報の「オーダ種別」が「頓用処方」であると，対応病名入力画面１１０を表示装置４に表示させて，対応病名の入力を受け付ける（ステップＳ３）。
【００４７】
対応病名決定部１３は，対応オーダ情報の患者ＩＤ（１１１１）を用いてカルテデータベース２を参照して，該当する患者のカルテデータから病名を全て取得し，対応病名入力画面１１０を生成する。
【００４８】
図６は，対応病名入力画面１１０の例を示す図である。
【００４９】
対応病名入力画面１１０は，患者が治療中である１または複数の病名と，その病名を選択する選択欄とを備える。
【００５０】
対応病名決定部１３は，ユーザが対応病名入力画面１１０で病名（病名Ａ）を選択すると，選択された病名（病名Ａ）を，該当する患者の処方オーダ情報の「対応病名」に格納する（ステップＳ４）。さらに，対応病名決定部１３は，対応病名を格納した対応オーダ情報のオーダ番号（ｘｘｘ）を，カルテデータベース２の該当する患者のカルテデータの該当する病名のレコードの「対応オーダ番号」に格納する（ステップＳ５）。
【００５１】
図７は，処方オーダ無効化処理の処理フロー図である。
【００５２】
カルテデータベース２のカルテデータに対して転帰入力処理が行われる（ステップＳ１１）。この転帰入力処理については後述する。
【００５３】
処方オーダ無効化部１５は，カルテデータベース２への転帰入力処理によって，「転帰」にデータが格納されたカルテデータを抽出し，抽出したカルテデータの患者ＩＤおよび病名に対応する処方オーダ情報が処方オーダデータベース１０に存在するかを調べる（ステップＳ１２）。
【００５４】
処方オーダ無効化部１５は，転帰入力処理の対象となった患者ＩＤおよび病名に対応する処方オーダ情報が処方オーダデータベース１０に存在すれば（ステップＳ１２のＹ），対応する処方オーダ情報をもとに，対応オーダ終了画面１２０を表示装置４に表示して，処方オーダ終了の設定について，ユーザの確認の入力を受け付ける（ステップＳ１３）。
【００５５】
図８は，対応オーダ終了画面１２０の例を示す図である。
【００５６】
図８に示す処方オーダ終了画面１２０では，対応する処方オーダ情報の内容（オーダ番号，使用薬剤，開始日，投与条件等）の表示欄と，ユーザが処方オーダの終了を確認したことを示す確認チェック欄とを備える。
【００５７】
処方オーダ無効化部１５は，対応オーダ終了画面１２０で確認チェック欄にチェックが入力されると，図９に示すように，対応する処方オーダ情報の終了日に，確認チェックが入力された日付情報（２００９０１３０）を設定する（ステップＳ１４）。
【００５８】
処方オーダ無効化部１５は，転帰入力の対象となった患者ＩＤおよび病名に対応する処方オーダ情報が処方オーダデータベース１０に存在しなければ（ステップＳ１２のＮ），処理を終了する。
【００５９】
図１０および図１１は，カルテデータ記憶部２に対する転帰入力処理を説明するための図である。
【００６０】
カルテデータ記憶部２に対する転帰入力処理は，既存のカルテデータシステム等において，図１０に示すような転帰入力画面２００が表示され，表示された患者ＩＤのカルテデータの病名に対する転帰の種別「治癒，死亡，中止，転医，軽快」等の各項目の選択欄から１つ選択され，選択されたデータがカルテデータの転帰に格納されることによって行われる。
【００６１】
図１１は，図１０に示す患者（１１１１）の傷病（病気Ａ）についての転帰入力画面２００において，転帰の種別「治癒」が選択された場合に，対応するカルテデータの転帰入力処理の結果として，カルテデータの転帰に「治癒」が格納された状態を示す図である。
【００６２】
図１２は，投薬指示表示処理の処理フロー図である。
【００６３】
投薬指示表示処理部１７は，所定の日時ごとに，処方オーダ情報記憶部１０に記憶されている処方オーダ情報を検索して，開始日および終了日で定まる投薬指示の有効期間が，当該処理日を含む期間である処方オーダ情報を抽出する（ステップＳ２１）。そして，投薬指示表示処理部１７は，抽出した処方オーダ情報にもとづく投薬指示を含む投薬指示画面１３０を作成し，表示装置４に表示する（ステップＳ２２）。
【００６４】
図１３は，投薬指示画面１３０の例を示す図である。
【００６５】
患者（１１１１）の傷病（病気Ａ）に対する転帰入力処理にもとづいて，処方オーダ無効化部１５がオーダ番号「ｘｘｘ」の処方オーダ情報に終了日（２００９年１月３０日）を設定したため，所定日（２月５日）に該当する処方オーダ情報は，オーダ番号「ｙｙｙ」の処方オーダ情報のみとなる。
【００６６】
投薬指示表示処理部１７は，図１３に示す，オーダ番号「ｙｙｙ」の処方オーダ情報にもとづく投薬指示のみを投薬指示画面１３０に表示する。
【００６７】
図１４は，従来の処方オーダ情報の管理処理により表示される投薬指示画面１４０の例を示す図である。従来の処方オーダの管理処理によれば，ユーザが終了日を指定しない限り，オーダ番号「ｘｘｘ」の処方オーダ情報は有効状態のままとなり，図１４に示すように，投薬指示画面１４０に不要な投薬指示と必要な投薬指示とが表示される。その結果，看護師に，表示された投薬指示から，必要な投薬指示を探し出すという負担を強いるだけでなく，本来必要な投薬指示を見落とすという事故の誘因となる可能性がある。
【００６８】
これに対し，処方オーダ管理装置１の処理により表示される，図１３の投薬指示画面１３０の場合には，看護師は，表示された投薬指示の全てを行うため，表示された投薬指示から，実際に必要な指示を探すという負担をなくし，見落とし事故の誘因を除去することができる。
【００６９】
以上の実施の形態において，処方オーダ管理装置１は，電子カルテシステムと別個のコンピュータにおいて実施されるものとして説明したが，処方オーダ管理装置１は，電子カルテシステムの一部に組み込まれて実施されてもよい。
【００７０】
なお，上記の処理機能は，コンピュータによって実現することができる。その場合，処理装置が有すべき機能の処理内容を記述したプログラムが提供される。そのプログラムをコンピュータで実行することにより，上記処理機能がコンピュータ上で実現される。処理内容を記述したプログラムは，コンピュータで読み取り可能な記録媒体に記録しておくことができる。
【００７１】
プログラムを流通させる場合には，例えば，そのプログラムが記録されたＤＶＤ（Digital Versatile Disc），ＣＤ−ＲＯＭ（Compact Disc Read Only Memory）などの可搬型記録媒体が販売される。また，プログラムをサーバコンピュータの記憶装置に格納しておき，ネットワークを介して，サーバコンピュータから他のコンピュータにそのプログラムを転送することもできる。
【００７２】
プログラムを実行するコンピュータは，例えば，可搬型記録媒体に記録されたプログラムもしくはサーバコンピュータから転送されたプログラムを，自己の記憶装置に格納する。そして，コンピュータは，自己の記憶装置からプログラムを読み取り，プログラムに従った処理を実行する。なお，コンピュータは，可搬型記録媒体から直接プログラムを読み取り，そのプログラムに従った処理を実行することもできる。また，コンピュータは，サーバコンピュータからプログラムが転送されるごとに，逐次，受け取ったプログラムに従った処理を実行することもできる。
【符号の説明】
【００７３】
１  処方オーダ管理装置
１０  処方オーダ情報記憶部（処方オーダデータベース）
１１  処方オーダ発行部
１３  対応病名決定部
１５  処方オーダ無効化部
１７  投薬指示表示処理部
２  カルテデータ記憶部（カルテデータベース）
３  入力装置
４  表示装置
【図１】
2010266980.tif 000003
【図２】
2010266980.tif 000004
【図３】
2010266980.tif 000005
【図４】
2010266980.tif 000006
【図５】
2010266980.tif 000007
【図６】
2010266980.tif 000008
【図７】
2010266980.tif 000009
【図８】
2010266980.tif 000010
【図９】
2010266980.tif 000011
【図１０】
2010266980.tif 000012
【図１１】
2010266980.tif 000013
【図１２】
2010266980.tif 000014
【図１３】
2010266980.tif 000015
【図１４】
2010266980.tif 000016